(57)【要約】      （修正有）【課題】製造コストの増加を抑えることができると共に分離作業性に優れる箱用シートを提供する。【解決手段】箱用シートは、一方側から他方側に順に連接され、組立時に四角筒状部を構成する第１パネル１、第２パネル２、第３パネル３及び第４パネル４と、第１パネル及び第３パネルの対向する一対の端縁から延出し、組立状態で先端同士が突き合わされ、四角筒状部の端部開口を封止する二対の第１フラップ５ａ，５ｂと、第２パネル及び第４パネルの対向する端縁から延出し、組立状態で第１フラップに貼着され、先端同士が間隔を開けて配される二対の第２フラップ６ａ，６ｂとを備え、第１パネル及び第３パネルと二対の第１フラップとの連接部における組立状態で二対の第２フラップと重ならない領域に開口８ａ，８ｂが形成され、開口から二対の第１フラップの組立状態で二対の第２フラップと重ならない領域の先端に亘って第１破断容易線９ａ、９ｂが形成されている。【選択図】図１
0003209184.tif 000002
【実用新案登録請求の範囲】
【請求項１】
一方側から他方側に順に連接され、組立時に四角筒状部を構成する第１パネル、第２パネル、第３パネル及び第４パネルと、
上記第１パネル及び第３パネルの対向する一対の端縁から延出し、組立状態で先端同士が突き合わされ、四角筒状部の端部開口を封止する二対の第１フラップと、
上記第２パネル及び第４パネルの対向する端縁から延出し、組立状態で上記第１フラップに貼着され、先端同士が間隔を開けて配される二対の第２フラップと
を備え、箱型に組み立て可能な箱用シートであって、
上記第１パネル及び第３パネルと二対の第１フラップとの連接部における組立状態で上記二対の第２フラップと重ならない領域に開口が形成され、
上記開口から二対の第１フラップの組立状態で上記二対の第２フラップと重ならない領域の先端に亘って第１破断容易線が形成されている箱用シート。
【請求項２】
上記第１破断容易線が蛇行している請求項１に記載の箱用シート。
【請求項３】
上記第１パネルと一対の第１フラップとの連接部に形成される一対の開口間、及び上記第３パネルと一対の第１フラップとの連接部に形成される一対の開口間を結ぶ一対の第２破断容易線が形成されている請求項１又は請求項２に記載の箱用シート。
【請求項４】
上記一対の第２破断容易線が波状に形成されるミシン目である請求項１、請求項２又は請求項３に記載の箱用シート。
【請求項５】
上記波の一方側の突出部分に継ぎ目が配されている請求項４に記載の箱用シート。
【考案の詳細な説明】
【技術分野】
【０００１】
本考案は、箱用シートに関する。
【背景技術】
【０００２】
一方側から他方側に順に連接される第１パネル乃至第４パネルを四角筒状に接続し、第１パネル及び第３パネルの対向する端縁から延出する各一対の内フラップを内側に折り曲げてこれらの内フラップの先端同士を突き合わせたうえ、第２パネル及び第４パネルの対向する端縁から延出する各一対の外フラップを内側に折り曲げ、内フラップの外側に貼着することで箱型に組み立てられるラップラウンド式ケースが知られている。
【０００３】
このラップラウンド式ケースとしては、内容物を展示できるよう、側壁を上下に分離可能な構成を有するものも存在している（特開２００７−１５３３９１号公報参照）。
【０００４】
上記公報に記載の包装箱は、側壁から内フラップにかけて左右方向に樹脂テープが設けられている。この包装箱は、樹脂テープの破断開始位置にこの樹脂テープと交差する切断線が形成されている。この包装箱は、この切断線を破断して樹脂テープを端部から引っ張ることで側壁を上下に分離することができる。
【先行技術文献】
【特許文献】
【０００５】
【特許文献１】特開２００７−１５３３９１号公報
【考案の概要】
【考案が解決しようとする課題】
【０００６】
しかしながら、上記公報に記載の包装箱は、段ボールシートに樹脂テープを貼着する必要があるため製造コストが高くなる。また、この包装箱は、側壁を分離するためには、切断線を破断して樹脂テープの端部を把持したうえ、この樹脂テープを引っ張ることが必要であるため、分離作業を効率的に行い難い。
【０００７】
本考案は、このような不都合に鑑みてなされたものであり、製造コストの増加を抑えることができると共に、分離作業性に優れる箱用シートを提供することを課題とする。
【課題を解決するための手段】
【０００８】
上記課題を解決するためになされた本考案に係る箱用シートは、一方側から他方側に順に連接され、組立時に四角筒状部を構成する第１パネル、第２パネル、第３パネル及び第４パネルと、上記第１パネル及び第３パネルの対向する一対の端縁から延出し、組立状態で先端同士が突き合わされ、四角筒状部の端部開口を封止する二対の第１フラップと、上記第２パネル及び第４パネルの対向する端縁から延出し、組立状態で上記第１フラップに貼着され、先端同士が間隔を開けて配される二対の第２フラップとを備え、箱型に組み立て可能な箱用シートであって、上記第１パネル及び第３パネルと二対の第１フラップとの連接部における組立状態で上記二対の第２フラップと重ならない領域に開口が形成され、上記開口から二対の第１フラップの組立状態で上記二対の第２フラップと重ならない領域の先端に亘って第１破断容易線が形成されている。
【０００９】
当該箱用シートは、第１パネル及び第３パネルと二対の第１フラップとの連接部における組立状態で上記二対の第２フラップと重ならない領域に開口が形成され、上記開口から二対の第１フラップの組立状態で上記二対の第２フラップと重ならない領域の先端に亘って第１破断容易線が形成されているので分離作業性に優れる。具体的には、当該箱用シートは、箱に組み立てられた状態で、第１パネルと一方の第１フラップとの連接部に形成される開口、及び第３パネルと上記一方の第１フラップと突き合わされる第１フラップとの連接部に形成される開口に人差し指を係止した状態で、これらの第１フラップに形成される第１破断容易線の先端部分を親指で押し込むことでこれらの第１破断容易線を容易に破断することができる。また、当該箱用シートは、第１破断容易線の押し込みに基づいてこの第１破断容易線を破断することができ、この第１破断容易線を樹脂テープによって形成することを要しない。そのため、当該箱用シートは、製造コストを抑えることができる。
【００１０】
上記第１破断容易線が蛇行しているとよい。このように、上記第１破断容易線が蛇行していることによって、第１破断容易線が製函時に意図せず破断することを抑制することができる。
【００１１】
上記第１パネルと一対の第１フラップとの連接部に形成される一対の開口間、及び上記第３パネルと一対の第１フラップとの連接部に形成される一対の開口間を結ぶ一対の第２破断容易線が形成されているとよい。このように、上記第１パネルと一対の第１フラップとの連接部に形成される一対の開口間、及び上記第３パネルと一対の第１フラップとの連接部に形成される一対の開口間を結ぶ一対の第２破断容易線が形成されていることによって、上記第１破断容易線に加え、一対の第２破断容易線を破断することで、当該箱用シートから組み立てられる箱を容易に２つに分離するこことができる。
【００１２】
上記一対の第２破断容易線が波状に形成されるミシン目であるとよい。このように、上記一対の第２破断容易線が波状に形成されるミシン目であることによって、一対の第２破断容易線が製函時に意図せず折れ曲がることを抑制することができる。
【００１３】
上記波の一方側の突出部分に継ぎ目が配されているとよい。このように、上記波の一方側の突出部分に継ぎ目が配されていることによって、この継ぎ目部分を押し込むことで、この押し込み部分を基端として第２破断容易線を容易に破断することができる。なお、本考案において、「継ぎ目」とは、ミシン目の非切断部分をいう。
【考案の効果】
【００１４】
以上説明したように、本考案に係る箱用シートは、製造コストの増加を抑えることができると共に、分離作業性に優れる。
【図面の簡単な説明】
【００１５】
【図１】本考案の一実施形態に係る箱用シートを示す模式的平面図である。
【図２】図１の箱用シートを組み立ててなる箱を示す模式的斜視図である。
【図３】図２の箱の第１破断容易線の破断手順を示す模式図である。
【図４】図２の箱の分離状態を示す模式的斜視図である。
【図５】図２の箱の第２破断容易線の破断手順を示す模式図である。
【図６】図１の箱用シートとは異なる形態に係る箱用シートを示す模式的平面図である。
【考案を実施するための形態】
【００１６】
以下、適宜図面を参照しつつ、本考案の実施の形態を詳説する。
【００１７】
［第一実施形態］
［箱用シート]
図１の箱用シートは１枚のシートからなる。当該箱用シートは、箱型に組み立て可能に構成されている。当該箱用シートは、一方側から他方側に順に連接され、組立時に四角筒状部を構成する第１パネル１、第２パネル２、第３パネル３及び第４パネル４と、第１パネル１及び第３パネル３の対向する一対の端縁（第１パネル１乃至第４パネル４の連接方向と平行な端縁）から延出し、組立状態で先端同士が突き合わされ、四角筒状部の端部開口を封止する二対の第１フラップ５ａ，５ｂと、第２パネル２及び第４パネル４の対向する端縁（第１パネル１乃至第４パネル４の連接方向と平行な端縁）から延出し、組立状態で第１フラップ５ａ，５ｂに貼着され、先端同士が間隔を開けて配される二対の第２フラップ６ａ，６ｂとを備える。また、当該箱用シートは、第４パネル４の第３パネル３との連接側と反対側の端縁に連接される糊代部７を備える。なお、図１において、太い実線は箱用シートを切断して形成されるエッジを示し、細い実線は箱用シートの表面に筋押しして形成される罫線を示す。
【００１８】
当該箱用シートは、一般的なラップラウンド式の箱と同様に組み立てられる。具体的には、まず、収容される物品を第２パネル２の上に置き、第１パネル１及び第３パネル３を第２パネル２との連接部を支点として立ち上げる。次に、第４パネル４を物品の上側を覆うように第２パネル２と平行になるように折り曲げる。続いて、糊代部７を内側に折り曲げ、第１パネル１の上縁部に貼着する。さらに、二対の第１フラップ（内フラップ）５ａ，５ｂを内側に略９０°折り曲げ、この二対の第１フラップ５ａ，５ｂの外面に重なるように二対の第２フラップ６ａ，６ｂを内側に折り曲げ、これらの第２フラップ６ａ，６ｂを第１フラップ５ａ，５ｂの外面に貼着する。これにより、図２に示す箱１１が組み立てられる。なお、当該箱用シートの組み立ては、一般的なラップラウンド式の箱の組立装置を用いて行うことができる。
【００１９】
当該箱用シートに用いられるシートとしては、当該箱用シートを組み立ててなる箱１１の形状を維持できる程度の強度を有している限り特に限定されるものではなく、例えば段ボールシート、厚紙等の紙製シート、合成樹脂製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
当該箱用シートは、第１パネル１及び第３パネル３と二対の第１フラップ５ａ，５ｂとの連接部における組立状態で二対の第２フラップ６ａ，６ｂと重ならない領域に開口８ａ，８ｂが形成されている。一対の開口８ａは、第１パネル１と一対の第１フラップ５ａとに跨って形成されており、他対の開口８ｂは、第３パネル３と一対の第１フラップ５ｂとに跨って形成されている。また、当該箱用シートは、二対の第１フラップ５ａ，５ｂの組立状態で二対の第２フラップ６ａ，６ｂと重ならない領域に第１破断容易線９ａ，９ｂが形成されている。第１破断容易線９ａ，９ｂは、開口８ａ，８ｂから第１フラップ５ａ，５ｂの先端に亘って延在している。
【００２１】
当該箱用シートは、開口８ａ，８ｂから二対の第１フラップ５ａ，５ｂの組立状態で二対の第２フラップ６ａ，６ｂと重ならない領域の先端に亘って第１破断容易線９ａ，９ｂが形成されていることで、これらの第１破断容易線９ａ，９ｂを容易かつ確実に破断することができる。具体的には、図３に示すように、当該箱用シートを組み立ててなる箱１１において、作業者は第１フラップ５ａ及び第２フラップ６ａ，６ｂが貼着されることで形成される一方の側面の両端に設けられる開口８ａ，８ｂに人差し指を挿入して係止した状態で、第１破断容易線９ａ，９ｂの先端部（第１フラップ５ａ，５ｂの先端部に位置する部分）を親指で押圧することで、第１破断容易線９ａ，９ｂの先端部を容易に破断することができる。また、この押圧部分から親指を左右方向外側に広げていくことで第１破断容易線９ａ，９ｂ全体を破断することができる。
【００２２】
開口８ａ，８ｂの形状としては、特に限定されるものではなく、円形、楕円形、多角形等が挙げられる。中でも、作業者が指を挿入しやすく、また指を係止した状態で指に負担がかかりにくい円形又は楕円形が好ましい。
【００２３】
開口８ａ，８ｂの平均径の下限としては、２ｃｍが好ましく、２．５ｃｍがより好ましい。一方、上記平均径の上限としては、４ｃｍが好ましく、３．５ｃｍがより好ましい。上記平均径が上記下限に満たないと、開口８ａ，８ｂに指を挿入し難くなるおそれがある。逆に、上記平均径が上記上限を超えると、開口８ａ，８ｂが不要に大きくなり当該箱用シートを組み立ててなる箱１１の強度が低下するおそれがある。
【００２４】
箱１１の１つの側面に形成される第１破断容易線９ａ，９ｂは、先端同士が突き合わされている。また、これらの第１フラップ５ａ，５ｂは、この突き合わせ位置から左右方向に対称に形成されている。
【００２５】
第１破断容易線９ａ，９ｂは、直線状に形成されてもよいが、蛇行していることが好ましい。第１破断容易線９ａ，９ｂが直線状に形成されていると、第１破断容易線９ａ，９ｂの伸長方向に沿う方向の剪断強度が低くなり、当該箱用シートを箱１１に組み立てる際（例えば第１フラップ５ａ，５ｂを第１パネル１及び第３パネル３に対して折り曲げる際）に第１破断容易線９ａ，９ｂが意図せず破断するおそれがある。これに対し、第１破断容易線９ａ，９ｂが蛇行していることで、第１破断容易線９ａ，９ｂが製函時に意図せず破断することを抑制することができる。
【００２６】
第１破断容易線９ａ，９ｂは、組立状態で上側に凸となるよう弓なりに形成されていることが好ましい。このように、第１破断容易線９ａ，９ｂが組立状態で上側に凸となるよう弓なりに形成されていることによって、開函時に先端側から基端側に親指で押圧していくことで第１破断容易線９ａ，９ｂ全体を破断しやすい。
【００２７】
第１破断容易線９ａ，９ｂは、複数のスリット及び継ぎ目が交互に連続するミシン目であることが好ましい。またこの場合、第１破断容易線９ａ，９ｂの伸長方向中央部分には比較的長いスリットが形成されていてもよい。当該箱用シートは、第１破断容易線９ａ，９ｂの伸長方向中央部分に比較的長いスリットが形成されている場合、第１破断容易線９ａ，９ｂの先端部を破断することで、第１破断容易線９ａ，９ｂを全体に亘りよりスムーズに破断することができる。
【００２８】
当該箱用シートの組立状態において上下に対向する第２フラップ６ａ，６ｂの平均間隔としては、第２フラップ６ａ，６ｂ間に容易に親指を押圧することができる程度であればよく、例えば２ｃｍ以上５ｃｍ以下とすることができる。
【００２９】
第１パネル１乃至第４パネル４は各々略矩形状に形成されている。第１パネル１及び第３パネル３は略同形状に形成されている。また、第２パネル２及び第４パネル４は略同形状に形成されている。第１パネル１乃至第４パネル４は、それぞれ連接方向長さに対して、この連接方向と直交する方向の長さ（以下、「幅方向長さ」ともいう）が大きい。第１パネル１乃至第４パネル４の連接方向長さとしては、収容する物品の個数、サイズ等に合わせて適宜設定可能であるが、例えば１０ｃｍ以上５０ｃｍ以下程度とすることができる。また、第１パネル１乃至第４パネル４の幅方向長さとしては、収容する物品の個数、サイズ等に合わせて適宜設定可能であるが、例えば１５ｃｍ以上６０ｃｍ以下程度とすることができる。
【００３０】
第１パネル１には、一対の第１フラップ５ａとの連接部に形成される一対の開口８ａ間を結ぶ第２破断容易線１０ａが形成されている。また、第３パネル３には、一対の第１フラップ５ｂとの連接部に形成される一対の開口８ｂ間を結ぶ第２破断容易線１０ｂが形成されている。当該箱用シートは、一対の第２破断容易線１０ａ，１０ｂを有することで、上述の第１破断容易線９ａ，９ｂと共に第２破断容易線１０ａ，１０ｂを破断することで、図４に示すように、箱１１を容易に２つに分離することができる。
【００３１】
一対の第２破断容易線１０ａ，１０ｂは、複数のスリット及び継ぎ目が交互に連続するミシン目であることが好ましい。また、一対の第２破断容易線１０ａ，１０ｂは、直線状に形成されてもよいが、波状に形成されていることが好ましい。第２破断容易線１０ａ，１０ｂが直線状に形成されていると、第２パネル２に対して第１パネル１及び第３パネル３を立ち上げる際に一対の第２破断容易線１０ａ，１０ｂが折れ曲がり強度が低下するおそれがある。また最悪の場合、製函不良で組立装置が停止するおそれがある。これに対し、一対の第２破断容易線１０ａ，１０ｂが波状に形成されるミシン目であることによって、一対の第２破断容易線１０ａ，１０ｂが製函時に意図せず折れ曲がることを抑制することができる。
【００３２】
一対の第２破断容易線１０ａ，１０ｂは、波の一方側の突出部分に継ぎ目が配されていることが好ましい。このように、上記波の一方側の突出部分に継ぎ目が配されていることで、図５に示すように、この継ぎ目を押し込み破断することで、この押し込み部分を基端としてこの押し込み部分から左右方向外側かつこの突出部分の突出方向と反対側に延びる領域を容易に破断することができる。なお、この継ぎ目の押し込みは、作業者の人差し指を開口８ａ，８ｂに係止した状態で行ってもよい。
【００３３】
上記継ぎ目は、一対の第２破断容易線１０ａ，１０ｂにおける組立状態で上方に突出する側に配されていることが好ましい。このように、上記継ぎ目が組立状態で上方に突出する側に配されていることによって、この継ぎ目をより容易に押し込むことができる。
【００３４】
また、上記継ぎ目の左右に隣接するスリットは、上記継ぎ目側の端部が左右方向に延び、かつ上記継ぎ目と反対側の端部が上記突出部分の突出方向と反対側に湾曲していることが好ましい。これにより、上記継ぎ目の破断を容易に行うことができると共に、この継ぎ目の破断により上記押し込み部分から左右方向外側かつ上記突出部分の突出方向と反対側に延びる領域をさらに容易に破断することができる。
【００３５】
上記波の隣接する突出部分の間隔の下限としては、３ｃｍが好ましく、５ｃｍがより好ましい。一方、上記間隔の上限としては、１０ｃｍが好ましく、８ｃｍがより好ましい。上記間隔が上記下限に満たないと、上記突出部分の数が不要に多くなり、第２破断容易線１０ａ，１０ｂの破断作業の容易化を十分に促進することができないおそれがある。逆に、上記間隔が上記上限を超えると、上記継ぎ目の押し込みによってこの押し込み部分から左右方向外側かつ上記突出部分の突出方向と反対側に延びる領域を破断することが容易でなくなるおそれがある。これに対し、上記間隔が上記範囲内である場合、例えば箱１１に複数のボトルが収容される場合、これらのボトル間の領域に上記突出部分を配することが容易となり、この突出部分を押し込みやすい。
【００３６】
上記突出部分及びこの突出部分の反対側に突出する部分の上下方向距離の下限としては、５ｍｍが好ましく、１０ｍｍがより好ましい。一方、上記上下方向距離の上限としては、３０ｍｍが好ましく、２０ｍｍがより好ましい。上記上下方向距離が上記下限に満たないと、第２破断容易線１０ａ，１０ｂが意図せず破断するおそれが高くなる。逆に、上記上下方向距離が上記上限を超えると、上記継ぎ目の押し込みによってこの押し込み部分から左右方向外側かつ上記突出部分の突出方向と反対側に延びる領域を破断することが容易でなくなるおそれがある。
【００３７】
＜利点＞
当該箱用シートは、第１パネル１及び第３パネル３と二対の第１フラップ５ａ，５ｂとの連接部における組立状態で二対の第２フラップ６ａ，６ｂと重ならない領域に開口８ａ，８ｂが形成され、開口８ａ，８ｂから二対の第１フラップ５ａ，５ｂの組立状態で二対の第２フラップ６ａ，６ｂと重ならない領域の先端に亘って第１破断容易線９ａ，９ｂが形成されているので分離作業性に優れる。また、当該箱用シートは、第１破断容易線９ａ，９ｂの押し込みに基づいてこの第１破断容易線９ａ，９ｂを破断することができ、この第１破断容易線９ａ，９ｂを樹脂テープによって形成することを要しない。そのため、当該箱用シートは、製造コストを抑えることができる。
【００３８】
［第二実施形態］
［箱用シート］
図６の箱用シートは１枚のシートからなる。当該箱用シートは、箱型に組み立て可能に構成されている。当該箱用シートは、一方側から他方側に順に連接され、組立時に四角筒状部を構成する第１パネル２１、第２パネル２２、第３パネル２３及び第４パネル２４と、第１パネル２１及び第３パネル２３の対向する一対の端縁（第１パネル２１乃至第４パネル２４の連接方向と平行な端縁）から延出し、組立状態で先端同士が突き合わされ、四角筒状部の端部開口を封止する二対の第１フラップ２５ａ，２５ｂと、第２パネル２２及び第４パネル２４の対向する端縁（第１パネル２１乃至第４パネル２４の連接方向と平行な端縁）から延出し、組立状態で第１フラップ２５ａ，２５ｂに貼着され、先端同士が間隔を開けて配される二対の第２フラップ２６ａ，２６ｂとを備える。また、当該箱用シートは、第４パネル２４の第３パネル２３との連接側と反対側の端縁に連接される糊代部２７を備える。なお、図６において、太い実線は箱用シートを切断して形成されるエッジを示し、細い実線は箱用シートの表面に筋押しして形成される罫線を示す。
【００３９】
当該箱用シートは、第１パネル２１及び第３パネル２３と二対の第１フラップ２５ａ，２５ｂとの連接部における組立状態で二対の第２フラップ２６ａ，２６ｂと重ならない領域に、開口を形成するための第３破断容易線２８ａ，２８ｂを有する。つまり、当該箱用シートは、各第３破断容易線２８ａ，２８ｂを破断することで形成される二対の開口を有する。一対の第３破断容易線２８ａの破断によって形成される一対の開口は、第１パネル２１と一対の第１フラップ２５ａとに跨って形成され、他対の第３破断容易線２８ｂの破断によって形成される他対の開口は、第３パネル２３と一対の第１フラップ２５ｂとに跨って形成される。また、当該箱用シートは、二対の第１フラップ２５ａ，２５ｂの組立状態で二対の第２フラップ２６ａ，２６ｂと重ならない領域に第１破断容易線２９ａ，２９ｂが形成されている。第１破断容易線２９ａ，２９ｂは、上記開口から第１フラップ２５ａ，２５ｂの先端に亘って延在している。第１パネル２１には、一対の第１フラップ２５ａとの連接部に形成される一対の開口間を結ぶ第２破断容易線３０ａが形成されている。また、第３パネル２３には、一対の第１フラップ２５ｂとの連接部に形成される他対の開口間を結ぶ第２破断容易線３０ｂが形成されている。当該箱用シートは、上記二対の開口が第３破断容易線２８ａ，２８ｂの破断によって形成される以外、図１の箱用シートと概略同様に形成されている。
【００４０】
＜利点＞
当該箱用シートは、図１の箱用シートと同様、製造コストの増加を抑えることができると共に、分離作業性に優れる。
【００４１】
［その他の実施形態］
なお、本考案に係る箱用シートは、上記態様の他、種々の変更、改良を施した態様で実施することができる。例えば、当該箱用シートは、第１パネルと一対の第１フラップとの連接部に形成される一対の開口間、及び第３パネルと一対の第１フラップとの連接部に形成される一対の開口間を結ぶ一対の第２破断容易線を有しなくてもよい。当該箱用シートは、例えば第１フラップ及び第２フラップによって組み立てられる側壁のみを分離可能に構成されてもよい。
【産業上の利用可能性】
【００４２】
以上のように、本考案の箱用シートは、製造コストの増加を抑えることができると共に分離作業性に優れるので、物品の保管、運搬等に用いられると共に、この物品を展示可能な箱用シートとして適している。
【符号の説明】
【００４３】
１，２１  第１パネル
２，２２  第２パネル
３，２３  第３パネル
４，２４  第４パネル
５ａ，５ｂ，２５ａ，２５ｂ  第１フラップ
６ａ，６ｂ，２６ａ，２６ｂ  第２フラップ
７，２７  糊代部
８ａ，８ｂ  開口
９ａ，９ｂ，２９ａ，２９ｂ  第１破断容易線
１０ａ，１０ｂ，３０ａ，３０ｂ  第２破断容易線
１１  箱
２８ａ，２８ｂ  第３破断容易線
【図１】
0003209184.tif 000003
【図２】
0003209184.tif 000004
【図３】
0003209184.tif 000005
【図４】
0003209184.tif 000006
【図５】
0003209184.tif 000007
【図６】
0003209184.tif 000008
【手続補正書】
【提出日】平成29年1月6日(2017.1.6)
【手続補正１】
【補正対象書類名】実用新案登録請求の範囲
【補正対象項目名】全文
【補正方法】変更
【補正の内容】
【実用新案登録請求の範囲】
【請求項１】
一方側から他方側に順に連接され、組立時に四角筒状部を構成する第１パネル、第２パネル、第３パネル及び第４パネルと、
上記第１パネル及び第３パネルの対向する一対の端縁から延出し、組立状態で先端同士が突き合わされ、四角筒状部の端部開口を封止する二対の第１フラップと、
上記第２パネル及び第４パネルの対向する端縁から延出し、組立状態で上記第１フラップに貼着され、先端同士が間隔を開けて配される二対の第２フラップと
を備え、箱型に組み立て可能な箱用シートであって、
上記第１パネル及び第３パネルと二対の第１フラップとの連接部における組立状態で上記二対の第２フラップと重ならない領域に開口が形成され、
上記開口から二対の第１フラップの組立状態で上記二対の第２フラップと重ならない領域の先端に亘って第１破断容易線が形成されている箱用シート。
【請求項２】
上記第１破断容易線が蛇行している請求項１に記載の箱用シート。
【請求項３】
上記第１パネルと一対の第１フラップとの連接部に形成される一対の開口間、及び上記第３パネルと一対の第１フラップとの連接部に形成される一対の開口間を結ぶ一対の第２破断容易線が形成されている請求項１又は請求項２に記載の箱用シート。
【請求項４】
上記一対の第２破断容易線が波状に形成されるミシン目である請求項３に記載の箱用シート。
【請求項５】
上記波の一方側の突出部分に継ぎ目が配されている請求項４に記載の箱用シート。